(57)【要約】【課題】  犯罪を企んでいる者やＳＡＲＳに感染している人に対して、自動的に予め予防や規制を行って、客や店員の安全を確保し財産を保護する多機能モニタリング装置を提供する。【解決手段】  ＣＣＤレンズ２及びプリズムレンズ１によって客の映像及び頭や顔の両側を撮影し、映像処理装置３を経て素データをＣＰＵ５に伝送する。そして、映像処理装置３が客の顔や頭の両側を覆っているものによって発生する異なる明暗度を分析判断し、さらに、温度センサー構造部４が体温が設定値を超えていないかを判断する。基準に合わない場合、駆動装置５１２は、ビデオ５１２１に録画保存し、ドアロック５１２３１を行なって進入を規制し、ＬＣＤ５１２４で体温を表示し、同時にスピーカー５１２２から放送して他の客に知らせる。また、客が無理に進入しようとしたり、閉めた入り口が外的な力を受けた場合は、自動警報システム５１１が作動して警察に通報する。【選択図】    図３
0003116485.tif 000002
【実用新案登録請求の範囲】
【請求項１】
プリズムレンズと、ＣＣＤ撮影レンズと、映像処理装置と、温度センサー構造部と、制御装置とを備える多機能モニタリング装置であって、
前記プリズムレンズは、門前あるいは入り口前の左右両側に設置され、その位置が進入しようとする客の両側の顔の映像を前記ＣＣＤ撮影レンズに屈折反射させる位置であり、
前記ＣＣＤ撮影レンズは、前記プリズムレンズで屈折反射した映像及び撮影した客の映像を受けて、その客の映像を前記映像処理装置に出力可能であり、
前記映像処理装置は、前記ＣＣＤ撮影レンズから送られた人の映像を分析し、客の顔及び頭の映像から得た画素を異なる明暗度に変換し、その異なる明暗度のデータを前記制御装置に出力し、
前記温度センサー構造部は、温度センサーおよび温度処理装置を有し、前記温度センサーが客の体温を測定し、前記温度処理装置によって体温のデータを読み取って前記制御装置に出力し、
前記制御装置は、前記映像処理装置から出力された客の顔あるいは頭が何かで覆われていることで発生する異なる明暗度のデータ、及び前記温度センサー構造部から出力された客の体温データを、保存されているデータと比較して分析及びチェックすることを特徴とする多機能モニタリング装置。
【請求項２】
前記制御装置は、
チェックの結果、何か適合しない項目があった場合、ただちに警報システムが起動して警察に通報する準備をする手段と、
駆動装置によってスピーカー、継電器、ＬＣＤ及び点滅ランプを作動させ、ビデオによってその客を録画し、継電器によって、ただちにドアロックを行って、その客の内部あるいは店内への進入を防御する手段と、
点滅ランプを連続して点滅させて警告する手段と、
スピーカーによってその客の進入が妨げられる理由となる帽子、マスク、サングラスを取り外す旨の音声を発する、又は体温が３８℃を超えている旨の音声を発し、体温が３８℃を超えている場合は、ＬＣＤを通してその客の体温を表示することによって、その客に医療機関で検査することを促す手段とを有し、
その客が無理に進入しようとしたり、閉じたドアロックが外的な力を受けたりしたとき、自動警報システムによって警察へ通報し、多機能モニタリング規制及び保護の目的を果たすことを特徴とする請求項１に記載の多機能モニタリング装置。
【請求項３】
前記プリズムレンズおよび前記ＣＣＤ撮影レンズは、複数のＣＣＤ撮影レンズに置換可能であり、
前記制御装置によるチェックによって、人の頭または顔が何かに覆われていないか、あるいは、あらかじめ設定されている人間像のデータに適合するかを判別する人間像判別処理装置をさらに備えることを特徴とする請求項１に記載の多機能モニタリング装置。
【請求項４】
異常が検出されたとき、発生現場の状況をただちに警察に伝送して、警察が完全に現場の状況を把握することで、速やかに現場に急行して、不法行為を行なうものを拘束及び逮捕するために、ビデオネットワークを経由した自動警報システムをさらに備えることを特徴とする請求項１に記載の多機能モニタリング装置。
【請求項５】
前記プリズムレンズ及び前記ＣＣＤ撮影レンズは、現金自動支払機周囲の外側の適切な位置に設置され、前記映像処理装置及び前記制御装置の構造を組み合わせて、現金自動支払機に設置されているビデオに連結され、
前記プリズムレンズによって現金を引き出す人の顔、側面の横顔の映像を前記ＣＣＤ撮影レンズに屈折反射して入力、あるいは複数のＣＣＤ撮影レンズによって直接お金を引き出そうとする人の顔、側面の横顔の映像を撮影し、
前記映像処理装置において、お金を引き出そうとする人の頭及び顔の明暗度に転換し、その明暗度のデータを制御装置へ出力して分析測定、あるいは人間像判別処理装置によって分析判断されて前記制御装置によってチェックされ、
前記制御装置によってデータがチェックされ、その結果が適合すれば、お金を引き出す人はその動作を完了することが可能であり、適合しない項目があれば、前記制御装置はただちに警報システムを通して警察に通報するとともに、駆動装置によってスピーカー、継電器、ＬＣＤ及び点滅ランプを作動させ、ビデオによってその人の録画を継続し、継電器によって、ただちに現金自動支払機の操作パネル及び現金取り出し口ロックを閉塞し、その客の現金自動支払機から現金の引き出しを不能とし、同時に、点滅ランプを連続して点滅させて警告し、さらに、スピーカーによってその客が操作できない理由である帽子、マスク、サングラスをはずすことを要求する旨の音声を放送し、
その客が無理に現金自動支払機の操作パネルを破壊しようとしたり、操作パネルあるいは現金取り出し口ロックが外的な力を受けたりしたとき、自動警報システムを作動して警察に通報し、警察がただちに現場に急行して逮捕することが可能である請求項１に記載の多機能モニタリング装置。
【考案の詳細な説明】
【技術分野】
【０００１】
本考案は多機能モニタリング装置に関わる。本考案の多機能モニタリング装置は、ＣＣＤレンズ及びプリズムレンズが撮影し、映像処理装置を経て、素データをＣＰＵ及び温度センサー構造部に伝送し、感じた体温データをＣＰＵに送り、ＣＰＵによって顔や頭部の両側を覆った物体が作り出す異なる明暗を判断することで、放送、ドアの開閉、ランプの点滅等によって警告したり、自動的に警察に通報したり、録画したりする。そして、体温が高すぎないかを、ＬＣＤによって表示、放送して、多機能のモニタリング、規制及び保護の目的を果たす。
【背景技術】
【０００２】
図１を参照いただきたい。従来のモニタリング装置は、モニター装置Ａによって客の映像を撮影してディスプレー装置Ｂ内に送り、表示して保存する。事件が発生した時、そのモニタリング装置の映像保存データを通して、店員に意図不明な客に対して警戒するように促し、トラブルが発生した時に、速やかに警察に通報して、危険の発生や財産の損失を未然に防ぐと同時に、警察に手がかりや証拠を提供することで事件の速やかな解決を図ることができる。
【０００３】
しかしながら、ただディスプレー装置Ｂによって、現場の状況を表示するだけであるため、悪い企みをしている客に対して、それを予防、規制ができず、店員、店主、及び他の客が危険な状況におかれた場合、その安全を保護することは不可能である。ただ、事後に、警報装置によって、自動的に通報するシステムを取るだけである。事件発生時に財産が失われたり、人の生命が危険にさらされたりする状況は常に繰り返されていて、商店や業界もなす術がない。
さらに、現在世界各地でＳＡＲＳに対する恐怖が広がっている。特に、体温が基準を超えている人に対しても、何ら予防する規制措置が採られていない。したがって、店員や客が交差感染する危険性が発生することが考えられる。
【０００４】
また、現在使用されている現金自動支払機（ＡＴＭ）は、暗証番号さえわかれば誰でもお金を引き出すことができる。帽子をかぶっている人やマスクをしている人、顔を隠している人、サングラスをかけている人、何かの後ろに隠れて器具やその他の道具を使ってお金を引き出そうとする人等に対しては、事前に予防や規制が行なえず、お金を引き出されてしまうケースが後を絶たない。
【０００５】
上述の従来のモニタリング装置には以下のような欠点がある。
（１）犯罪を企んでいる者に対して、あらかじめ予防や規制が行なえない。
（２）ＳＡＲＳに感染している人の進入が容易で、その他の客や店員に感染する危険性がある。
（３）警察に通報する店員が危険な状況におかれる場合がある。
（４）犯罪者から客を守ることができない。
（５）店員が常にモニター装置に注意して警戒をしなければならない。
（６）現金自動支払機を使用する人あるいは物に対して、あらかじめ予防及び規制が行なえない。
【考案の開示】
【考案が解決しようとする課題】
【０００６】
犯罪を企んでいる者やＳＡＲＳに感染している人に対して、自動的に予め予防や規制を行って、客や店員の安全を確保し財産を保護する多機能モニタリング装置を提供する。
【課題を解決するための手段】
【０００７】
本考案の多機能モニタリング装置は、ＣＣＤレンズ及びプリズムレンズによって客の映像及び頭や顔の両側を撮影し、映像処理装置を経て素データをＣＰＵに伝送する。そして、温度センサー構造部が客の顔や頭の両側を覆っているものによって発生する異なる明暗度を分析判断して、さらに、温度センサー構造部が体温が設定値を超えていないかを判断し、もし、そのうちの一項でも基準に合わない場合、ただちに駆動装置を経てビデオに録画保存する。同時に、継電器が開閉構造部をコントロールして進入を規制し、ＬＣＤで体温を表示して、同時に放送して他の客に知らせる。さらに、通信システムを経て自動的に警報を発し、客が無理に進入しようとしたり、閉めた入り口が外的な力を受けた場合は、自動警報システムが作動して、多機能モニタリング規制及び保護の目的を果たす。
【考案を実施するための最良の形態】
【０００８】
図２、図３を参照いただきたい。本考案の一実施例による多機能モニタリング装置は、プリズムレンズ１及びＣＣＤ撮影レンズ２、映像処理装置３、温度センサー構造部４、及び、ＣＰＵ５からなる。そのうち、プリズムレンズ１は門前あるいは入り口前の左右両側に設置する。その位置は、進入しようとする客の両側の顔の映像をうまくＣＣＤ撮影レンズ２に屈折反射させる。そして、温度センサー構造部４は、温度センサー４０と温度処理装置４１からなる。同様に、門前あるいは入り口の前に設置する。ＣＰＵ５は駆動装置５１２を経てビデオ５１２１、スピーカー５１２２、継電器５１２３、ＬＣＤ５１２４及び点滅ランプ５１２５に連結している。まず、門前両側のプリズムレンズ１が、進入しようとする客の顔の映像をＣＣＤ撮影レンズ２に屈折反射させる。ＣＣＤ撮影レンズ２を通して客を撮影した画素を映像処理装置３を通して、その客の頭及び顔の明暗度に転換する。その明暗度のデータはＣＰＵ５に転送されて分析測定されるか、人間像判別処理装置８によって分析判断されて、ＣＰＵ５に送られてチェックされることにより、その客の頭あるいは顔が物によって覆われているかを判断する。同時に、温度センサー４０によって客の体温を測定し、温度処理装置４１によって体温データを読み取り、ＣＰＵ５に送られチェックされる。ＣＰＵ５のＲＡＭ５１によってデータがチェックされて、その結果が適合すれば、その状態は何ら変化なく、客はドア６を開けて内部あるいは店内に進入することが可能である。もし、何か適合しない項目があった場合、ＣＰＵ５がただちに元からある警報システム５１１を通して警察に通報する。同時に、駆動装置５１２によってスピーカー５１２２、継電器５１２３、ＬＣＤ５１２４及び点滅ランプ５１２５を作動させ、ビデオ５１２１によってその客を録画し続け、継電器５１２３によって、ただちにドアロック５１２３１が行われて、その客は内部あるいは店内に進入できなくなる。同時に、点滅ランプ５１２５が連続して点滅して警告する。さらに、スピーカー５１２２によってその客が進入できない理由である、例えば、帽子、マスク、サングラス等をはずすことを要求したり、体温が３８℃を超えている等の内容を放送する。ＬＣＤ５１２４を通してその客の体温を表示することによって、その客に医療機関で検査することを促す。もし、その客が無理に進入しようとしたり、閉じたドアロックが外的な力を受けたりした場合は、自動警報システム５１１１が作動して警察に通報するようになっている。
【０００９】
図４、図５を参照いただきたい。本実施例を現金自動支払機に応用した例である。本実施例のプリズムレンズ１及びＣＣＤ撮影レンズ２は現金自動支払機７の周囲の外側の適切な位置に設置されている。そして、映像処理装置３及びＣＰＵ５等の構造部を組み合わせて、現金自動支払機に元からあるビデオ７０に連結させる。プリズムレンズ１によってお金を引き出そうとする人の顔、側面の横顔等の映像をＣＣＤ撮影レンズ２に屈折反射させるか、複数のＣＣＤ撮影レンズ２によって直接お金を引き出そうとする人の顔、側面の横顔等の映像を撮影して、映像処理装置３を経てそのお金を引き出そうとする人の頭、顔の明暗度に転換する。その明暗度のデータがＣＰＵ５に送られて分析測定されるか、人間像判別処理装置８によって分析判断されてＣＰＵ５によってチェックされる。ＣＰＵ５のＲＡＭ５１によってデータがチェックされ、その結果が適合すれば、その状態は何ら変化なく、お金を引き出す人はその動作を完了することができる。もし、何か適合しない項目があった場合、ＣＰＵ５がただちに元からある警報システム５１１を通して警察に通報する。同時に、駆動装置５１２によってスピーカー５１２２、継電器５１２３、ＬＣＤ５１２４及び点滅ランプ５１２５を作動させ、ビデオ７０によってその人を録画し続け、継電器５１２３によって、ただちに現金自動支払機の操作パネル７１及び現金取り出し口ロック７２が閉じられて、その客は現金自動支払機からお金を引き出せなくなる。その時、お金を引き出せなくなると同時に、点滅ランプ５１２５が連続して点滅して警告する。さらに、スピーカー５１２２によってその客が操作できない理由、例えば、帽子を脱ぐことやマスク、サングラス等をはずすことを要求する等の内容を放送する。もし、その客が無理に現金自動支払機の操作パネル７１を破壊しようとしたり、操作パネル７１あるいは現金取り出し口ロック７２が外的な力を受けたりした場合は、自動警報システム５１１１が作動して警察に通報するようになっている。
【００１０】
このように、客がドアの前に来た時、門前両側のプリズムレンズ１が進入しようとする客の顔をＣＣＤ撮影レンズ２に屈折反射させて撮影し、映像処理装置３を経て転換した、その客の顔、頭が何かに覆われていることによって発生する異なる明暗度（例えば、サングラスか透明なめがねかによって明暗度が異なる）を、ＣＰＵ５のＲＡＭ５１によってデータをチェックする。同時に、温度センサー構造部４を組み合わせて人体の体温を測定し、さらに、測定したデータを共にＣＰＵ５に送り、ＣＰＵ５のＲＡＭ５１によってデータをチェックし、その結果が適合すれば、その状態は何ら変化なく、ドアロックは開いた状態で、客はドアを開けて内部あるいは店内に進入することが可能である。もし、何か適合しない項目があった場合、ＣＰＵ５がただちに元からある警報システム５１１を通して警察に通報する。同時に、駆動装置５１２によってスピーカー５１２２、継電器５１２３、ＬＣＤ５１２４及び点滅ランプ５１２５を作動させ、ビデオ５１２１によってその客を録画し続け、継電器５１２３によって、ただちにドアロック５１２３１が行われて、その客は内部あるいは店内に進入できなくなる。同時に、点滅ランプ５１２５が連続して点滅して警告する。さらに、スピーカー５１２２によってその客が進入できない理由である、例えば、帽子、マスク、サングラス等をはずすことを要求したり、体温が３８℃を超えている等の内容を放送する。ＬＣＤ５１２４を通してその客の体温を表示することによって、その客に医療機関で検査することを促す。もし、その客が無理に進入しようとしたり、閉じたドアロックが外的な力を受けた場合は、自動警報システム５１１１が作動して警察に通報するようになっている。
【００１１】
（考案の効果）
本考案の多機能モニタリング装置はモニタリング機能があるだけでなく、従来のモニタリング装置にはない、以下のような優れた点がある。
（１）客の体温を測定することで、他の客や店員がＳＡＲＳに感染することが避けられる。
（２）顔や頭を何かで覆って犯罪を企んでいる者や、体温が３８℃を越えている客に対して、その進入を規制することが可能である。
【００１２】
（３）無理に進入しようとする、犯罪を企んでいる者や体温が３８℃を越えている客に対して、第一段階において、測定した内容を警報システムによって警察に報告し、第二段階において、警報システムが作動して、効果的に強盗犯罪やその他の事件を予防することができる。
（４）スピーカーによる放送、点滅ランプの点滅によって、犯罪を企んでいる可能性や３８℃を超えている客がいることを告示し、その進入を食い止める効果がある。
【００１３】
（５）ＬＣＤがあることで客の体温を表示できる。
（６）現金自動支払機を使用する際において、覆面していたり、サングラスあるいはマスク等で顔を覆っている客がお金を引き出すのを防ぎ、不法な引き出しや盗難事件の発生を食い止めるという効果がある。
（７）自動警報システムの監視システム回路を通して、現場の状況をただちに警察機関に伝送することが可能で、警察が完全に現場の状況を把握できて、迅速に犯人を逮捕するのに役立つ。
【図面の簡単な説明】
【００１４】
【図１】従来のモニタリング装置の見取り図である。
【図２】本考案の一実施例の配置を示した模式図である。
【図３】本考案の一実施例の構造部を示したフローチャートである。
【図４】本考案の一実施例を現金自動支払機に応用した場合の配置を示した図である。
【図５】本考案の一実施例を現金自動支払機に応用した場合の構造部を示したフローチャートである。
【符号の説明】
【００１５】
Ａ  モニター装置、Ｂ  ディスプレー装置、１  プリズムレンズ、２  ＣＣＤ撮影レンズ、３  映像処理装置、４  温度センサー構造部、５  ＣＰＵ、４０  温度センサー、４１  温度処理装置、５１２  駆動装置、５１２１、７０  ビデオ、５１２２  スピーカー、５１２３  継電器、５１２４  ＬＣＤ、５１２５  点滅ランプ、５１  ＲＡＭ、５１１  警報システム、５１２３１  ドアロック、６  ドア、７  現金自動支払機、７１  操作パネル、７２  現金取り出し口ロック、８  人間像判別処理装置、５１１１  自動警報システム
【図１】
0003116485.tif 000003
【図２】
0003116485.tif 000004
【図３】
0003116485.tif 000005
【図４】
0003116485.tif 000006
【図５】
0003116485.tif 000007